(57)【要約】      （修正有）【課題】折戸装置の連結部が指詰め機能を有し、又蝶番を構成する羽片の小口が露出しない様にして小口と扉体との間に隙間が生じ隙間に塵等がたまることがない様にし、又意匠性を向上させる。【解決手段】隣接する扉体１，２が蝶番部３を介して回転自在に連結され、前記蝶番部は一対の羽片８，９を有し、隣接する扉体の対向面にはそれぞれ段差面が形成され、該段差面の深さは少なくとも前記羽片の板厚以上であり、各羽片は段差に収納される様にそれぞれ前記段差面に固着され、前記羽片にはそれぞれ軟質弾性部材１５が設けられた。【選択図】図２
2010265730.tif 000002
【特許請求の範囲】
【請求項１】
隣接する扉体が蝶番部を介して回転自在に連結され、前記蝶番部は一対の羽片を有し、隣接する扉体の対向面にはそれぞれ段差面が形成され、該段差面の深さは少なくとも前記羽片の板厚以上であり、各羽片は段差に収納される様にそれぞれ前記段差面に固着され、前記羽片にはそれぞれ軟質弾性部材が設けられたことを特徴とする折戸装置連結部の構造。
【請求項２】
前記段差面の深さは、前記羽片の板厚と同一であり、前記軟質弾性部材の幅一端部は前記羽片に当接し、幅他端部は前記羽片より迫出し、段差境界線を覆う様に設けられた請求項１の折戸装置連結部の構造。
【請求項３】
前記軟質弾性部材の幅一端部は前記羽片に当接し、幅他端部は前記羽片に当接すると共に幅他端縁は前記羽片の端縁と一致する様に設けられた請求項１の折戸装置連結部の構造。
【請求項４】
前記羽片には突条が形成され、前記軟質弾性部材は前記突条を介して前記羽片に取付けられ、前記扉体の下面には前記軟質弾性部材の下端面に当接する受け部材が設けられた請求項１〜請求項３の内いずれか１つの折戸装置連結部の構造。
【発明の詳細な説明】
【技術分野】
【０００１】
本発明は複数扉体が屈伸可能に連結され、屋内の空間を開閉可能に仕切る折戸装置、特に折戸装置連結部の構造に関するものである。
【背景技術】
【０００２】
折戸装置としては、本出願人が先に出願した特許文献１に示されるものがある。折戸装置について図７、図８を参照して概略を説明する。尚、図７、図８は両開き折戸装置を示している。尚、図示の両開き折戸装置は左右対称であるので、以下は、折戸装置の右部分のみを説明する。
【０００３】
隣接する扉体１，２が蝶番部３を介して連結され、基側の扉体１が回転支持部を介して回転自在に設けられ、先側の扉体２は前記扉体１に前記蝶番部３を介して回転自在に連結されると共に天井に設けられたスライドレール（図示せず）にスライド部５を介して摺動自在となっており、前記扉体１が回転することで、前記扉体２は扉体１とは逆方向に回転すると共に水平方向にスライドして空間を開放し、又は仕切る様になっている。
【０００４】
尚、図中、６は取手、７はワイヤを示し、左右のスライド部５，５′が前記ワイヤ７で連結されることで、右部の扉体１，２と左部の扉体１′，２′は対称的な動きをする様になっている。
【０００５】
図９は従来の折戸装置連結部の構造を示している。
【０００６】
前記扉体１と前記扉体２とを連結する蝶番部３は、断面が略クランク状の羽片８，９が一対左右対称に配置され、該羽片８，９の一端は羽片カバー１１を介して回転自在に連結され、又前記羽片８，９はそれぞれ前記扉体１の戸先端面及び前記扉体２の戸尻端面に上下全長に亘って固着されている。前記扉体１の戸先と前記扉体２の戸尻間には所要の空間１２が形成される。
【０００７】
前記羽片８の前記羽片９に対向する面に断面鉤形状の突条１３，１４が前記羽片８の全長に亘って形成され、前記突条１３，１４の向きは反対となっている。同様に、前記羽片９の対向面にも突条１３，１４が形成されている。
【０００８】
前記突条１３，１４には指詰め防止ゴム１５が嵌合されており、該指詰め防止ゴム１５は前記突条１３，１４に嵌合する基台部１５ａが硬質ゴム又は硬質合成樹脂、該基台部１５ａから突出する中空の突出部１５ｂは軟質ゴム又は軟質合成樹脂となっており、前記基台部１５ａ、突出部１５ｂは一体成形されている。尚、前記扉体１，２が閉状態で、隙間が生じない様前記指詰め防止ゴム１５の先端部は傾斜し、相互にオーバラップする様になっている。
【０００９】
前記扉体１，２が閉じられる際に前記空間１２に指が挟まったとしても前記指詰め防止ゴム１５が変形して、指を痛めることがない様になっている。
【００１０】
従来の折戸装置連結部の構造では、前記指詰め防止ゴム１５が前記突条１３，１４に嵌合した状態で、前記羽片８，９の小口（端面）が露出する様になっており、この小口と前記扉体１との間に間隙が生じてここに塵等がたまる虞れがあり、又、小口は人目に付きやすい位置にあることから、意匠性も損う虞れもあるという問題があった。
【先行技術文献】
【特許文献】
【００１１】
【特許文献１】特開２００８−２１４９４３号公報
【発明の概要】
【発明が解決しようとする課題】
【００１２】
本発明は斯かる実情に鑑み、連結部が指詰め機能を有し、又蝶番を構成する羽片の小口が露出しない様にして小口と扉体との間に隙間が生じ隙間に塵等がたまることがない様にし、又意匠性を向上させるものである。
【課題を解決するための手段】
【００１３】
本発明は、隣接する扉体が蝶番部を介して回転自在に連結され、前記蝶番部は一対の羽片を有し、隣接する扉体の対向面にはそれぞれ段差面が形成され、該段差面の深さは少なくとも前記羽片の板厚以上であり、各羽片は段差に収納される様にそれぞれ前記段差面に固着され、前記羽片にはそれぞれ軟質弾性部材が設けられた折戸装置連結部の構造に係り、又、前記段差面の深さは、前記羽片の板厚と同一であり、前記軟質弾性部材の幅一端部は前記羽片に当接し、幅他端部は前記羽片より迫出し、段差境界線を覆う様に設けられた折戸装置連結部の構造に係り、又、前記軟質弾性部材の幅一端部は前記羽片に当接し、幅他端部は前記羽片に当接すると共に幅他端縁は前記羽片の端縁と一致する様に設けられた折戸装置連結部の構造に係り、更に又、前記羽片には突条が形成され、前記軟質弾性部材は前記突条を介して前記羽片に取付けられ、前記扉体の下面には前記軟質弾性部材の下端面に当接する受け部材が設けられた折戸装置連結部の構造に係るものである。
【発明の効果】
【００１４】
本発明によれば、隣接する扉体が蝶番部を介して回転自在に連結され、前記蝶番部は一対の羽片を有し、隣接する扉体の対向面にはそれぞれ段差面が形成され、該段差面の深さは少なくとも前記羽片の板厚以上であり、各羽片は段差に収納される様にそれぞれ前記段差面に固着され、前記羽片にはそれぞれ軟質弾性部材が設けられたので、羽片の小口が隠れて意匠性、製品価値が向上すると共に羽片を小型化でき材料費の低減が図れる。
【００１５】
又本発明によれば、前記段差面の深さは、前記羽片の板厚と同一であり、前記軟質弾性部材の幅一端部は前記羽片に当接し、幅他端部は前記羽片より迫出し、段差境界線を覆う様に設けられたので、軟質弾性部材の両幅端部の形状を同一にでき、軟質弾性部材の断面形状が非対称であっても、隣接する軟質弾性部材を同一部品とすることができる。
【００１６】
又本発明によれば、前記軟質弾性部材の幅一端部は前記羽片に当接し、幅他端部は前記羽片に当接すると共に幅他端縁は前記羽片の端縁と一致する様に設けられたので、軟質弾性部材の両幅端部の形状を同一にでき、軟質弾性部材の断面形状が非対称であっても、隣接する軟質弾性部材を同一部品とすることができる。
【００１７】
又本発明によれば、前記羽片には突条が形成され、前記軟質弾性部材は前記突条を介して前記羽片に取付けられ、前記扉体の下面には前記軟質弾性部材の下端面に当接する受け部材が設けられたので、前記軟質弾性部材の位置ずれ、落下が防止されるという優れた効果を発揮する。
【図面の簡単な説明】
【００１８】
【図１】本発明が実施される折戸装置の一例を示す断面図であり、図７のＡ−Ａ矢視相当図である。
【図２】本実施例に係る折戸装置連結部の構造を示し、図１の連結部部分拡大図である。
【図３】本実施例に於いて、扉体から蝶番部を分離した状態を示す説明図である。
【図４】前記折戸装置連結部の下方からの斜視図である。
【図５】第２の実施例を示す断面図である。
【図６】第３の実施例を示す断面図である。
【図７】折戸装置の全体斜視図である。
【図８】折戸装置の開状態の全体斜視図である。
【図９】従来の折戸装置連結部の構造を示す断面図である。
【発明を実施するための形態】
【００１９】
以下、図面を参照しつつ本発明の実施例を説明する。
【００２０】
図１は、本発明が実施される折戸装置の一例を示しており、図７のＡ−Ａ矢視相当図である。又、図２は該折戸装置の連結部の拡大図である。尚、図中、図７、図８中で示したものと同等のものには同符号を付し、その説明を省略する。
【００２１】
扉体１の戸先部分には戸先フレーム１７が設けられ、扉体２の戸尻部分には戸尻フレーム１８が設けられている。該戸先フレーム１７、戸尻フレーム１８はそれぞれ引抜き、或は押出し成形品であり、前記戸先フレーム１７と前記戸尻フレーム１８の断面は左右対称形となっており、蝶番部３の取付け構造は、前記戸先フレーム１７と前記戸尻フレーム１８とで同一となっているので、以下は前記戸先フレーム１７について説明する。
【００２２】
図３に示される様に、該戸先フレーム１７の戸先端面には該戸先端面から所定深さ後退した段差面１９が凹設されている。
【００２３】
前記蝶番部３は羽片８，９と羽片カバー１１で構成され、前記羽片８は前記扉体１の戸先端面に固着される固定座部８ａと該固定座部８ａから垂直に立上がり、更に平行に屈曲した連結片部８ｂ及び該連結片部８ｂの先端部に形成される連結端８ｃを有している。又、前記羽片９も前記羽片８と同様に固定座部９ａ、連結片部９ｂ、連結端９ｃを有している。前記羽片カバー１１は軸部を有し、前記連結端８ｃ，９ｃを覆うと共に前記軸部が前記連結端８ｃ，９ｃと回転自在に嵌合する様になっている。又、前記連結端８ｃ，９ｃ同士はギア結合している。
【００２４】
前記固定座部８ａは、前記段差面１９に嵌合し、段差内に収納される様になっており、又前記固定座部８ａの板厚は前記段差面１９の深さと同一であり、前記固定座部８ａの対向面（上面）と前記戸先フレーム１７の戸先面と面一となっている。又、前記固定座部８ａの上面には突条１３，１４が形成され、前記固定座部８ａの小口と前記突条１４の端面とは面一となっている。
【００２５】
前記固定座部８ａの小口と前記突条１４の端面とを面一とすることで前記固定座部８ａを小さくすることができ（図３、図９参照）材料費が節約できる。
【００２６】
指詰め防止ゴム１５は、基台部１５ａ及び中空の突出部１５ｂから構成され、前記基台部１５ａは硬質ゴム或は硬質合成樹脂であり、前記突出部１５ｂは軟質ゴム或は軟質合成樹脂等の軟質弾性部材で構成されており、前記基台部１５ａと前記突出部１５ｂは一体成形される。前記突出部１５ｂの断面外形は、対向面が傾斜した４辺形であり、前記突条１３，１４と嵌合する部分は、左右対称形状となっている。この為、前記指詰め防止ゴム１５の断面形状が非対称であっても、隣接する指詰め防止ゴム１５を同一部品とすることができる。
【００２７】
前記基台部１５ａは前記突条１３，１４に嵌合し、前記指詰め防止ゴム１５は前記基台部１５ａと前記突条１３，１４との嵌合を介して前記戸先フレーム１７に取付けられる様になっている。
【００２８】
前記指詰め防止ゴム１５が前記戸先フレーム１７に取付けられた状態では、指詰め防止ゴム１５の反蝶番部３側の幅端部が前記固定座部８ａの端縁から迫出した状態となっており、前記幅端部の底面は、前記固定座部８ａの対向面と前記戸先フレーム１７の戸先端面に掛渡って当接している。従って、前記指詰め防止ゴム１５が前記固定座部８ａの端縁と段差境界線とを覆い、外観上は前記指詰め防止ゴム１５が前記戸先フレーム１７の戸先面に固着された様になっており、前記固定座部８ａの小口は露出しない。
【００２９】
又、小口は露出せず、前記突出部１５ｂの弾性力によって扉体１との間に間隙が生じるのを防ぐことができるので、塵等がたまる虞れが減少する。
【００３０】
上記した様に、前記指詰め防止ゴム１５は前記突条１３，１４に嵌合することで取付けられるが、開閉により、前記扉体１、扉体２に振動、衝撃が繰返し作用する。この為、前記指詰め防止ゴム１５が下方にズレ落ちることが考えられる。
【００３１】
従って、図４に示される様に、前記指詰め防止ゴム１５のズレ防止の為、前記戸先フレーム１７の下端にゴム受け板２１が固着される。
【００３２】
該ゴム受け板２１は、前記戸先フレーム１７の断面外形と該外形から前記基台部１５ａに相当する部分２１ａが突出した形状となっており、前記基台部１５ａが前記部分２１ａに当接することで、前記指詰め防止ゴム１５の下方への変位を拘束する。
【００３３】
尚、前記ゴム受け板２１の材質はズレ防止可能であれば任意であるが、物体や足等が当接しても損傷等を防げる為、ゴムの様な軟質であることが好ましい。又、扉体１の厚さ方向の幅は扉体１の厚さとほぼ同等かそれよりも小さい方が好ましい。更に、受け部材の厚さは、床等に接することがなく扉体１の開閉に支障がない様に薄い方が好ましい。
【００３４】
図５は第２の実施例を示している。該第２の実施例では、前記固定座部８ａの小口を延出し、前記指詰め防止ゴム１５の幅端面（図５では上面）と面一とし、前記段差面１９の深さを前記固定座部８ａの板厚より大きくし、前記固定座部８ａ及び前記指詰め防止ゴム１５の端面の一部が段差内に収納される様にしたものである。尚、第２の実施例に於いて、前記段差面１９の深さを前記固定座部８ａの板厚と同一としてもよい。
【００３５】
該第２の実施例に於いても、前記固定座部８ａの小口は露出せず、外観上は前記指詰め防止ゴム１５が前記戸先フレーム１７の戸先面に固着された様になっている。
【００３６】
図６は、第３の実施例を示している。該第３の実施例では、戸先フレーム１７の戸先端面に段差面１９を凹設せずに、前記指詰め防止ゴム１５の形状を変更することで、前記固定座部８ａの小口を露出させない様にしたものである。
【００３７】
突出部１５ｂの前記固定座部８ａの小口側の端面（図示では上面）を、前記基台部１５ａより更に前記固定座部８ａの板厚分だけ延出させ、前記戸先フレーム１７の戸先面に当接する様にする。
【００３８】
前記基台部１５ａの端面を延出させることで、前記固定座部８ａの小口が覆われ、外観上は前記指詰め防止ゴム１５が前記戸先フレーム１７の戸先面に固着された様になる。
【００３９】
而して、本発明では、連結部に指詰め防止の為の指詰め防止ゴム１５が設けられると共に又蝶番を構成する羽片の小口が露出せず、意匠性が向上する。
【００４０】
尚、蝶番部３としては、上述したものに限らず、連結片部８ｂと連結片部９ｂとが１本の回転軸を介して直接回転自在に連結されたものでもよい。
【符号の説明】
【００４１】
１，２          扉体
３              蝶番部
８，９          羽片
１１            羽片カバー
１３，１４      突条
１５            指詰め防止ゴム
１７            戸先フレーム
１８            戸尻フレーム
１９            段差面
２１            ゴム受け板
【図１】
2010265730.tif 000003
【図２】
2010265730.tif 000004
【図３】
2010265730.tif 000005
【図４】
2010265730.tif 000006
【図５】
2010265730.tif 000007
【図６】
2010265730.tif 000008
【図７】
2010265730.tif 000009
【図８】
2010265730.tif 000010
【図９】
2010265730.tif 000011